Podtech/llm-jp-corpus-v4-ja_patent huggingface dataset:
(57)【要約】【課題】ペットの毛づくろい等の世話をしようとする時あるいはしている時に、静電気によるスパークが発生し、お互いに不快な思いをし億劫になっていたことを課題にした。【解決手段】ペットマットを導電性ゴム・金属・非鉄金属等の導電性のあるものを重ね合わせたものにしたのである。【選択図】  図  １
2006262882.tif 000002
【特許請求の範囲】
【請求項１】
導電性ゴム・金属・非鉄金属等の導電性のあるものを複数重ね合わせたペットマット。
【発明の詳細な説明】
【技術分野】
【０００１】  本発明は、ペット用で人間とペットの静電気を除去しながら世話を出来るペットマットに属する。
【背景技術】
【０００２】  従来のペットマットは、保温・保冷そしてムードづくり・装飾等の目的のものだけで、静電気を除去を目的とするものはなかったのである。
【発明の開示】
【発明が解決しようとする課題】
【０００３】  ペットの毛づくろい等の世話をしようとする時あるいはしている時に、静電気によるスパークが発生し、お互いに不快な思いをし億劫になってしまっていた。【０００４】  本発明は、上述の静電気による課題を解決しようとするものであり、ペットの毛づくろい等の世話をする時お互いの静電気を除去することを目的とするものである。
【課題を解決するための手段】
【０００５】  本発明は、上記目的を達成するために、ペットマットを導電性ゴム・金属・非鉄金属等の導電性のあるものを複数重ね合わせたペットマットにしたものである。
【発明の効果】
【０００６】  上述したように本発明のペットマットは、誰しもが帯電し悩んでいる静電気を除去するのである。ペットの毛づくろい等の世話を本発明のペットマットの上ですることにより、これまで発生していた人間とペットとの接触時の静電気によるスパークがなくなるのである。ペットと人間が共に味わされていた不快感がなくなるのである。
【発明を実施するための最良の形態】
【０００７】  以下、本発明の実施の形態を図に基づいて説明する。【０００８】  図においては、ペットマットは導電性ゴム１と導電性アース板２で構成されている。【０００９】  以下、上記構成の動作を説明する。先ずは、導電性ゴム１はゴムにカーボンを数％混合させ表面抵抗率が１０５〜１０９ｏ／ｓｑの範囲の静電気拡散性を保有させたもので、導電性アース板２は静電気放電（スパーク）する表面抵抗率〜１０５ｏ／ｓｑの範囲の導電性を保有するアルミ・銅・ステンレス等である。【００１０】  導電性ゴム１は静電気を帯電しているものが触れてもスパークをせず導電させるだけであり、スパークは導電性ゴム１とアース板２の接触するスパーク部ａでスパークするのである。【００１１】  上述より、人間ｂや猫・犬ｃが直接触れる表側を静電気拡散性の導電性ゴム１にし、スパークする導電性のアルミ・銅・ステンレスを裏側に包み直接触れることのないようにするのである。【００１２】  人間ｂと猫・犬ｃの既に帯電している静電気や毛づくろい等の世話で新たに発生する静電気を、静電気拡散性の導電性ゴム１を通らせ導電性の導電性アース板２との接触部で静電気放電（スパーク）させるのである。スパーク部ａは導電性ゴム１に包み込まれており直接触れることもなく、又、硬い部分でもあるので安全性の面からも配慮したものである。
これにより、人間と猫・犬の不快感もなくなり、より信頼関係や絆が深まることになるのである。
【図面の簡単な説明】
【００１３】
【図１】  この発明の実施例を示すペットマットの平面図。
【図２】  この発明の実施例を示すペットマットのＡ−Ａ断面視図。
【図３】  この発明の実施例を示すペットマットの実施例図。
【符号の説明】
【００１４】    １  導電性ゴム
２  導電性アース板
ａ  スパーク部
ｂ  人間
ｃ  猫・犬
ｄ  据置き場
【図１】
2006262882.tif 000003
【図２】
2006262882.tif 000004
【図３】
2006262882.tif 000005
(57)【要約】【課題】  ご飯をより美味しく炊き上げるには、炊飯前と炊飯時との水温差が大きい程良いが、内釜の中に直接氷等を入れると、その同分量の水抜きが必要となり、水抜きそのものを怠ると炊飯が失敗し又、内釜ごと冷蔵庫に入れたりする手間もある為、簡単に又、手軽に内釜を冷却する方法が望まれる。【解決手段】  従来の炊飯器１、の内部に熱電冷却素子等４、を取付け内釜２、を炊飯器にセットした時に、内釜外側部分に熱電冷却素子等４、を密着させ炊飯前の水温を冷却できるようにした。【選択図】  図１
2006187582.tif 000002
【特許請求の範囲】
【請求項１】
炊飯前の洗米後に、内釜を炊飯器にセットした際、内釜外側部分に熱電冷却素子等を密着させるようにして、炊飯前の内釜内を冷却できるように、熱電冷却素子等を利用した内釜冷却炊飯器。
【発明の詳細な説明】
【技術分野】
【０００１】本発明は、炊飯器内に電熱冷却素子等の冷却機構を取付け、内釜外側部分が密着するようにし、洗米後の内釜セット時に炊飯前の水温を冷却できるようにしたものである。
【背景技術】
【０００２】ご飯がより美味しく炊き上がるには、炊飯前と炊飯時との水温差が大きい程、米がしっかりしてひきしまる為であり従来、洗米後に内釜ごと冷蔵庫に入れて冷したり又、内釜に直接氷などを入れたりしていた。
【発明の開示】
【発明が解決しようとする課題】
【０００３】ご飯をより美味しく炊き上げるには、炊飯前と炊飯時との水温差が大きい程良いが、洗米後の内釜の中に氷を入れると、その同分量の水抜きが必要であり、水抜きそのものを怠ると失敗する又、内釜ごと冷蔵庫に入れることも手間である為、内釜の冷却が簡単に手軽にできることが望ましい。
【課題を解決する為の手段】
【０００４】本発明は、それらの課題を解決する為に発案されたもので、それを図面について説明すれば、炊飯器１、の内部に熱電冷却素子等４、を取付け内釜２、をセットした時に内釜外側部分に、熱電冷却素子等４、を密着させるようにしたものである。
【発明の効果】
【０００５】このようにすれば、洗米後に内釜を炊飯器にセットするだけで、熱電冷却素子等の効果によって、内釜から内部全体が冷却され炊飯前と炊飯時との大きな水温差が生じ、簡単に又、手軽に美味しいご飯の炊き上がりが可能となる。
【実施例】
【０００６】本発明は、炊飯前と炊飯時との大きな水温差を発生させ、美味しいご飯の炊き上がりを可能にしたもので、それを図面について説明すれば炊飯器１の内部に熱電冷却素子等４、を取付け内釜２、をセットした時に内釜外側部分に熱電冷却素子等４、を密着させるようにしたものである。
【図面の簡単な説明】
【０００７】
【図１】  内釜冷却炊飯器の断面図である。
【符号の説明】
１、  炊飯器の外釜
２、  内釜
３、  加熱ヒーター部分
４、  熱電冷却素子等
【図１】
2006187582.tif 000003
(57)【要約】【課題】従来の掛布団カバーは布団を包むだけの形であったため体の凹凸、ねぞうの悪さによるすきま風が防げなかった。【解決手段】掛布団カバーの下に敷布団、ベットマットへおりこめる布をつける事によりすきま風を防げる。又、おり込む必用はないが、首元、肩口、側面に布をつける事によりすき間風を防げる。【特許請求の範囲】
【請求項１】
掛布団カバーの下に敷布団、ベットマットにおりこめる布のついた、掛布団カバー首元、肩口にも同様の布がついたカバー（掛布団）、全て布は、取り外し式。
【発明の詳細な説明】
【技術分野】
【０００１】本発明は、すきま風を防ぐフトンカバーに関する
【背景技術】
【０００２】従来の掛ブトンカバーはフトンを包むだけのものであった。
【発明の開示】
【発明が解決しょうとする課題】
【０００３】従来の掛ブトンカバーでは、体の凹凸、ねぞうの悪さによるすきま風は防げない。特に足元。
【０００４】本発明は、このすき間風を防ぐことを目的とする。
【課題を解決するための手段】
【０００５】上記目的を達するため敷き布団、ベットマット・パットにおりこめるように、掛布団カバーの下（足元）に布をつける。首元、肩口にもつける、場合によっては側面も。
【０００６】すなわち、体の凹凸、ねぞうの悪さによるすきまをシャットアウトするのである。
【発明の効果】
【０００７】上述したように掛布団カバーの四面に布をつける事により、すきま風を防げる。
【発明を実施するための最良の形態】
【０００８】夏場の事も考えて四面の布は取り外し出来る事がのぞましい（チャック等で）、足元のおり込む部分の布は、おりこむもの（敷布団、ベットマット）に合わせて、長さを変えるのが良い。足元以外は、おりこむ必用はあまりない。首元の布の形は首の形に合わせたものでも良い。
(57)【要約】【課題】本発明品はトイレットペーパー・スペアの備蓄を目的とし、衛生的に確保する事。【解決手段】本発明品はトイレ内でペーパー不足になった非常時にわかり易くペーパー備蓄の有無が判断でき、かつ格安で衛生的に製作できるよう考え、メンテナンスの解消に役立つと考える。【選択図】図１
2006187564.tif 000002
【特許請求の範囲】
【請求項１】
（１）トイレ使用時に慌ててトイレに入りトイレットペーパーが無かったり残り少なかったりした経験から、トイレットペーパーのスペア・ペーパーがホルダーのすぐ近くに簡単にわかり易く設置でき、備蓄を目的として考案。
【発明の詳細な説明】
【発明の詳細な説明】
【技術分野】
【０００１】本発明品はトイレ内でペーパー不足になった時、どこにトイレットペーパーがあるか、またどのくらいあるかわかり易く知らせる目的である。本発明品はプラスチック製のチェーン形体で、チェーン上部は細身のカギ型エスカンで引掛け易くチェーン下部は逆Ｔ字に接続し、一般家庭ではチェーンはトイレットペーパー２個分（２３ｃｍ）と余裕分で２７ｃｍくらいにし、会社など多数の人が利用するトイレなどはチェーンの長い本発明品を使用すれば備蓄目的を達成することができる。
【背景技術】
【０００２】従来のトイレットペーパーの予備の為に色々な物があるが、ペーパーの有無がわからなかったり取りづらかったりした。更に棚の上にあり、座ったまま取れなかったりして不便であった。
【発明が解決しようとする課題】
【０００３】トイレ使用中にペーパー不足で困る時は緊急事態でパニック状態に陥る。高い棚の上にあっても便座から立ち上がって取れる状態ではないので、本発明品のように取り扱いが簡単で素早く取り出せ、トイレ使用者に安心感を与えることができる。
【課題を解決するための手段】
【０００４】従来のペーパー・ストックのようにトイレットペーパーの下に横向きにぶら下げた布製ではペーパーの有無がわかりにくい。本発明品は円形を立ててプラスチック製チェーンで筒内を通し、二段重ねで常に準備でき、更に既存のペーパーホルダーをそのまま利用して簡単に取り付けできる利点を一番に挙げたい。トイレットペーパーは剥き出し状態でもわかり易いが、見栄えを気にする人はロールペーパー２個分程度の長さ３０ｃｍ、幅２０ｃｍの筒状の布袋で一方を巾着絞りにし、スカートを履かしたようにすればトイレットペーパーストックにゴミやホコリが付かず衛生的に使用できる。
【発明を実施するための最良の形態】
【０００５】本発明品はプラスチック製のチェーン形体で作成されており、チェーン上部はカギ型エスカンで取り付け易く、下部は逆Ｔ字に接続、チェーンはロールペーパー２個分（２３ｃｍ）と余裕分で３０ｃｍ程度に製作してある。トイレットペーパー直径約１０．５ｃｍ、筒芯の太さ約３．５ｃｍにともない下部Ｔ字部分を倍の長さ７ｃｍ・幅２ｃｍにし安定させる。中央にチェーンを接続し、現在使用しているペーパーホルダーの筒芯バネに引っ掛けても十分使用可能である。トイレットペーパー取り出し交換時は軽くペーパーを上げ、下のＴ字を筒芯から抜けば子供から年配者まで簡単に取り出し可能で、トイレ内手すりやタオル掛けなどに付属すれば目立ってわかり易い。低コストで作成でき大変便利な品である。
【実施例】
【０００６】トイレットペーパー・ストックの設置場所は一般的に、トイレの棚である為、便座に座ったままでは後部高棚で手が届かない。今、手の届くペーパーホルダー、手すり、タオル掛けなどに引っ掛けておけば残り少なくても安心して用がたせる。メンテナンス的にも（例：公衆トイレ・ホテル・ビル・レストラン等）人手不足解消に約立つと考える。
【発明の効果】
【０００７】不特定多数の人が使用するトイレは、ペーパーが残り少なくなっている状態が多々あり、本発明品により使用者が便座に座ったままペーパーを確保できる点を強調したい。慌ててトイレに駆け込んだトイレ使用者にもペーパーの有無が即座に判断でき、安心感を与えることができる。
【図面の簡単な説明】
【図１】  本発明品の平面図
【図２】  本発明品の平面図
【符号の説明】
１．エスカン
２．リング
３．プラスチック・チェーン
【図１】
2006187564.tif 000003
【図２】
2006187564.tif 000004
(57)【要約】【課題】  従来のスロットマシンは大当たりの時に、約１６２回、ストップボタンを押す必要がありました。ですからどのようにすれば、ストップボタンを押す回数を減らすことが出来るかが、課題である。【課題を解決するための手段】  ストップボタンの▲４▼はドラムを  ＡからＢ、Ｃと順番に連続して停止させ、ストップボタンの▲５▼はドラムを  ＣからＢ、Ａと順番に連続して停止させる機能をもちます。  ストップボタン▲４▼と▲５▼又は切り替えボタンを付けることにより、１プレイあたり３回も押さなければならないのを、１回で済むようになります。  そうすれば、遊戯者の選択により、通常時には三分の一に、大当たりの時にも、押す回数が約三分の一の５２回になり、遊戯者の負担を大幅に軽減することが出来ます。【選択図】  図１
2006187563.tif 000002
【特許請求の範囲】
【請求項１】
図１
ストップボタンを五個に増やしてストップボタン▲１▼から▲３▼までは現行のまま▲１▼はＡに、▲２▼はＢに、▲３▼はＣの各ドラムに連動して、個別にストップさせるが、ストップボタン▲４▼はＡからＢ、Ｃと順番にドラムを連続してストップさせる機能を持つものとする。
ストップボタン▲５▼はＣからＢ、Ａと順番にドラムを連続してストップさせる機能を持つものとする。
そして、遊戯者の選択により、通常時、大当たり時にも個別ストップ、連続ストップを選べることが出来るようにしたものである。
【請求項２】
図２
ストップボタン▲４▼、▲５▼を無くして、切り替えボタン又はスイッチを付けて、ストップボタン▲１▼を押した時は、ＡからＢ、Ｃと順番にドラムを連続してストップさせる機能を持たせ、そしてストップボタン▲３▼を押した時は、ＣからＢ、Ａと順番にドラムを連続してストップさせる機能を持たせるものとする。
【発明の詳細な説明】
【発明の詳細な説明】
【技術分野】
【０００１】  本発明はスロットマシンのストップボタンの数を増やすか、切り替えボタン又はスイッチを付けて、通常時、大当たり時に、ストップボタンの押す回数を減らして、遊戯者の負担を減らすことに係る発明である。
【背景技術】
【０００２】  従来のスロットマシンは通常時、１プレイに付き３回、大当たりの時は、ある機種を例にすると約１６２回ストップボタンを押す必要がありました。
【発明が解決しようとする課題】
【０００３】  スロットマシンのストップボタンを押す回数を減らして、いかに遊戯者の負担を少なくし、遊戯者の選択により、個別ストップ、連続ストップを選んで遊戯することが出来るかが課題である。
【課題を解決するための手段】
【０００４】  ストップボタン▲４▼と▲５▼又は切り替えボタンを付けることにより、１プレイあたり３回、ストップボタンを押さなければならないのを、１回で済ますことが出来るようになります。
【発明を実施するための最良の形態】
【０００５】  以下、本発明の実地の形態について説明する。
『イ』・図１
ストップボタンの▲４▼はドラムを  ＡからＢ、Ｃと順番に連続して停止させる機能をもちます。
『ロ』・図１
ストップボタンの▲５▼はドラムを  ＣからＢ、Ａと順番に連続して停止させる機能をもちます。
『ハ』・図２
切り替えボタン又はスイッチを付けることにより、ストップボタンの▲１▼は▲４▼の替わりに、ストップボタンの▲３▼は▲５▼の替わりにドラムを順番に連続して停止させる機能をもちます。
【発明の効果】
【０００６】  このストップボタン▲４▼と▲５▼又は切り替えボタンを使うことにより、通常時には三分の一、大当たりの時にはある機種を例にすると約１６２回もストップボタンを押さなければならないのを、約５２回と三分の一に減らすことが出来、遊戯者の負担を大幅に軽くすることが出来る。しかも個別ストップ、連続ストップを選択して遊戯することが出来るようになります。
【図面の簡単な説明】
【０００７】
【図１】本発明の五個のストップボタンの正面図である。
【図２】本発明の切り替えボタン又はスイッチ付きの正面図である。
【符号の説明】
【０００８】１．ストップボタン
２．ストップボタン
３．ストップボタン
４．ストップボタン
５．ストップボタン
Ａ．ドラム
Ｂ．ドラム
Ｃ．ドラム
Ｄ．コイン投入口
Ｅ．ベットボタン
Ｆ．スタートレバー
Ｇ．切り替えボタン
【図１】
2006187563.tif 000003
【図２】
2006187563.tif 000004
(57)【要約】【課題】  震災時に備え身近に置いておきたい防災頭巾とスリッパを一体化させた防災座布団を提供する。【解決手段】  防災頭巾（１）の内側にマジックテープ（２）を設け、また、その対となるマジックテープ（３）を着けた二個のクッション（４）が、簡単なスリッパとなることを特徴とする座布団。【選択図】  図２
2006187565.tif 000002
【特許請求の範囲】
【請求項１】
軍手（６）入りの防災頭巾（１）の内側に、マジックテープ（２）を着け、その隣に対となるマジックテープ（３）を設けたカラーゴム（５）を有するクッション二個（４）が、簡単なスリッパとなる防災座布団。
【発明の詳細な説明】
【発明の詳細な説明】
【技術分野】
【０００１】  この発明は、震災時に備え、身近に置いておきたい防災頭巾とスリッパを一体化した防災座布団に関するものである。
【背景技術】
【０００２】  従来では学校などと違い地震などに備え、常に身近に防災頭巾や履物を準備してある一般家庭は少なかった。また、すぐに使用できる場所にないことが多く、役立たないこともある。
【発明が解決しようとする課題】
【０００３】  これは次のような欠点があった。
イ．手のとどく場所に防災頭巾を置いておく一般家庭が少なかった。
ロ．地震により、家屋などが倒壊し、ガラスの破片などが散乱した場合、履物がないと足を傷つけてしまっていた。
ハ．座布団を他に活用できる商品自体少なかった。
本発明は、以上の欠点を解決するためになされたものである。
【課題を解決するための手段】
【０００４】  防災頭巾（１）の内側にマジックテープ（２）を設ける。そして、その隣に対となるマジックテープ（３）を着けた簡単なスリッパとなる二個のクッション（４）を設ける。このクッションの内側にカラーゴム（５）をそれぞれ二本渡す。さらに、防災頭巾の間に軍手（６）を入れる。
本発明は、以上の構成よりなる頭巾とスリッパの機能付防災座布団である。
【発明を実施するための最良の形態】
【０００５】  以下、本発明の実施の形態を説明する。
（イ）座布団の約三分の二部分が防災頭巾（１）となり、バランスをとるためと綿のずれ防止のために中心に縫い目（７）を入れ、内側にマジックテープ（２）を設ける。
（ロ）残りの三分の一の部分は、長方形のクッション（４）を二個設け、防災頭巾（１）と脱着できるよう対となるマジックテープ（３）を着け、さらに内側に２．５ｃｍ幅位のカラーゴム（５）を二本着ける。これがスリッパとなる。
（ハ）スリッパの形態にするために、クッションの先端（８）から約三分の一部分を折り曲げ、カラーゴム（５）を裏返しながら、その部分をとめる。
（ニ）上記、頭巾（１）とクッション（４）をマジックテープ（２）、（３）により合体させ、横５４ｃｍ・縦５８ｃｍとする。
本発明は、以上の構成よりなっている。
本発明を使用するときは、普段は座布団として家にに置いておくだけで、次のようにして震災時に役立てられる。
頭を保護するための頭巾（１）と長方形のクッション（４）に分割し、クッションの先端（８）から三分の一を折り曲げ、裏に着いているカラーゴム（５）を返しながら曲げた部分をとめる。これにより簡単なスリッパになるため非常時に足を保護することができる。また、内部に軍手（６）を入れ、市販の座布団カバーも使用可能である。
【発明の効果】
【０００６】  本発明を使用することによって、座布団を活用することができる。
また、身近に置いておけるため、すぐに使用でき、頭や足の保護ができる。さらに、これまでの震災時の不安を和らげることができる。
【図面の簡単な説明】
【図１】  本発明の斜視図
【図２】  本発明の分解斜視図
【図３】  本発明の使用状態を示す斜視図
【符号の説明】
１  防災頭巾
２  マジックテープ
３  対となるマジックテープ
４  長方形のクッション
５  カラーゴム
６  軍手
７  縫い目
８  クッションの先端
【図１】
2006187565.tif 000003
【図２】
2006187565.tif 000004
【図３】
2006187565.tif 000005
(57)【要約】【課題】洗濯物を干すために洗濯ハンガーを小物専用洗濯ハンガーと大物専用洗濯ハンガーを設け、二段式洗濯ハンガーにして小物洗濯ハンガーは上部に、大物洗濯物は下部にして、大量に洗濯物を干せるようにした二段式洗濯ハンガーを提供する。【解決手段】合成樹脂製の二段式洗濯ハンガー本体（１）を設け、上段は小物専用洗濯ハンガー（２）、下段を大物洗濯ハンガー（３）として使用する。二段式洗濯ハンガーのフック（４）の下にリング（５）を設け、小物専用洗濯ハンガー（２）を引っ掛けて、二段式として使用する．取外しが出来各々一段式としても使える。【選択図】  図１
2006187572.tif 000002
【特許請求の範囲】
【請求項１】
洗濯ハンガーに小物用洗濯物と大物洗濯物を干す為に洗濯ハンガーを吊るすフック部と洗濯ハンガーの間隔を伸ばし、その中間に小物用洗濯物ハンガーを設けたことを特徴とする二段式洗濯ハンガー。
【請求項２】
小物用洗濯ハンガーはフック部から容易に外せるる構造にして各１段式としても使用出来る事を特徴とする請求項１記載の二段式洗濯ハンガー。
【発明の詳細な説明】
【技術分野】
【０００１】  本発明は、二段式と一段式に使用出来る洗濯ハンガーに関するものである。
【背景技術】
【０００２】  従来、洗濯ハンガーは一段式が多く、小物の洗濯物と大物の洗濯物を一緒に吊り下げていた。
【発明の開示】
【発明が解決しようとする課題】
【０００３】  それには次のような問題があった。
（イ）小物の洗濯物と大物の洗濯物が一緒に吊るしてあった。
（ロ）小物は小物，大物は大物で干した洗濯ハンガーがなかった。
（ハ）子供の多い家族では洗濯物が多く洗濯ハンガーが必然的に多くなった。
（ニ）二段式で上段は小物、下段は大物洗濯物を干す洗濯ハンガーがなかった。
本発明は、以上の問題点を解決するためのものである。
【問題を解決するための手段】
【０００４】  合成樹脂製で構成された鎖式２段式の洗濯ハンガー本体（１）を設け、上段はハンカチ，靴下、パンツ等小物専用の洗濯ハンガー（２）として使用し、下段は大物洗濯物専用洗濯ハンガー（３）として使用する。洗濯ハンガー本体（１）の上部にフック（４）を設け、その下部にリング（５）を設け、そのリング（５）に洗濯ハンガー（２）を吊るし、取外し可能で、各々一段式としても利用できる。
【発明の効果】
【０００５】  二段式のため多量の洗濯物を吊り下げることが出来、小物の洗濯物は上の洗濯ハンガー、大物の洗濯物は下段の洗濯ハンガーと分けられ、又取り外し可能のため各独立した一段式としても利用できる効果が期待できる。
【発明の実施するための最良の形態】
【０００６】  以下、本発明の実施の形態を説明する。
（イ）従来の洗濯ハンガーと小物用の洗濯ハンガーを設ける。
（ロ）一段式の洗濯ハンガーのフックとハンガーの間隔を広くする。
（ハ）一段式洗濯ハンガーのフックの下に小物用の洗濯ハンガーを掛けるリングを設ける。
（ホ）間隔を広くしたハンガーのフックの下部に取り付けたリングに小物用洗濯ハンガーを引っ掛ける。
本発明は、以上の構成よりなっている。
これを使用するときは、大物洗濯ハンガーのフックの下に付いているリングに小物の洗濯ハンガーのフックを引っ掛けることにより、二段式の洗濯ハンガーになり、ハンカチ、靴下、パンツ等の小物の洗濯物は上段の洗濯ハンガーに掛ける。そして、大物の洗濯物は大物の洗濯ハンガーに掛ける。又上段の洗濯ハンガーをはずして、各々別々に掛けても良く、洗濯ハンガーのスペースが少なくてすむ。
【図面の簡単な説明】
【０００７】
【図１】  本発明の使用状態を示す斜視図
【図２】  本発明の正面図である
【図３】  本発明の右側面図である
【図４】  本発明の平面図である
【符号の説明】
【０００８】  １  洗濯ハンガー本体
２  小物用洗濯ハンガー
３  大物用洗濯ハンガー
４  フック
５  リング
【図１】
2006187572.tif 000003
【図２】
2006187572.tif 000004
【図３】
2006187572.tif 000005
【図４】
2006187572.tif 000006
(57)【要約】【課題】従来の車椅子は介護する人の都合を優先させたつくりであり、障害の状態によっては力のかけにくい形状や操作の難しい造りであった。そこで、効率的に力を伝えることと、操作性を向上させること、車椅子の自体の走行性能を上げることが必要である。【解決手段】身体固定具５・６・７を使い乗車姿勢を直立にする事、１のメインフレームに１０のサスペション介して１６のサブフレームを接続する事により、車体及び身体を前傾及び後傾出出来るようにする事、９の入力装置をワイヤー等ひも状の物にして力点の自由度を上げる事、８の出力装置ガイド部をつけ車体を自由に左右に傾ける事で走破性を上げる。【選択図】  図１
2006187573.tif 000002
【特許請求の範囲】
【請求項１】
前傾及び後傾の姿勢を作れる装置
【請求項２】
ロープ状の入力装置
【請求項３】
松葉杖状の出力装置
【発明の詳細な説明】
【発明の詳細な説明】
【産業上の利用分野】
【０００１】本発明は、車椅子本体の乗車姿勢や操作性・走行性能を向上させる装置に関する。
【背景技術】
【０００２】従来の車椅子は椅子の左右に大きな車輪と補助輪によって構成されており、車体を傾けたり車体の荷重を前後に動かす事が出来ないこと、【０００３】車輪を動かすために上半身全体を使うような構造で障害者の状態によっては力が入らないこと、【０００４】  左右の大きな車輪に同時に荷重がかかるため段差を超えるなどの障害物を越えることが困難であった。
【発明が解決しようとする課題】
【０００５】このように従来型の車椅子で座った姿勢であったのを、下半身を固定して上半身を直立姿勢に保ち、且つ、積極的に姿勢や車体を傾ける事ができるようにすること。
【０００６】  また、入力装置を腕の構造に沿った力のかけやすいものにすること。
【０００７】  さらに、力を地面に伝える出力装置や車輪の重心を自由に変えられるようにする事で走破性を上げるものである。
【課題を解決するための手段】
【０００８】上記目的を達成すべく本発明は、従来では座った姿勢で骨盤に上半身の重心がかかっていたが、脛・膝・腿・尻も座面にする事によって、骨盤より上の上半身を直立に保つ。これは、車椅子マラソンに使われる車両のニールポジションやＴ３ポジションと呼ばれる構造である。特許公開２００４−１２１７８０のバランス車椅子と似た構造であるが、車椅子マラソンの車両は特許公開２００４−１２１７８０より以前にあるので、同じ構造であった場合、特許公開２００４−１２１７８０は審査を通らないものと思われる。
【０００９】  また、前後に姿勢を倒しこめるように、サスペンションをつける。これは、下肢障害者用のスキーチェアのように地面からの衝撃の吸収が目的ではなく、車体及び姿勢を前後に倒しこむためのものである。
【００１０】さらに、左右に倒しこめるように上下に移動する松葉杖状の補助輪をつける。
【００１１】  入力装置は脇からひも状のベルトを出力装置につなげる事によって、力の入れる方向の自由度が上がる。
【００１２】  出力装置はベルトから伝わってきた動力をそのまま又はギアを介し地面に伝えるが、松葉杖の出力装置自体が個別に上下する事により、固定輪に荷重をかけたり抜いたりする事が可能になり、また、走行時に車体を左右に傾ける事も可能になる。
【作用】
【００１３】本発明によれば、姿勢を直立に保ち、前後左右に重心のコントロールができ、また力をコントロールしやすいため、運動性能向上し、今までの車椅子では考えられないような激しいスポーツのようなこともすることが出来る。
【００１４】  姿勢が直立になり立っている人と同じ視線の高さになるため、切符を買うなど公共物利用が楽にできるようになる。
【実施例】
【００１５】以下に本発明の一実施例を添付図面に基づいて説明する。【００１６】  図１は本発明を利用した直立型車椅子の右側面から見た図である。【００１７】  車椅子本体の１に身体固定するために、この図では３箇所の固定具を使用する。腰・尻・腿を５で支え、膝・脛を６で支え、足首・つま先を７で固定する。これらは身体を固定すると共に転倒時の衝撃を緩和する装置でもある。【００１８】  ２の前輪や４の後輪は自転車と同じように左右の中央にあり、１６のサブフレームにより繋がれている。１６のサブフレームは１０のサスペンションを介し１のメインフレームと繋がっている。このことにより、１のメインフレームは運転者の体重移動によって、前傾及び後傾する事ができる。【００１９】  ３の出力装置右側は右わきの下にある８の出力装置ガイド部に繋がっており、肩を上げ下げする事によって、３の出力装置右側も垂直に上下させる事ができる。１２の出力装置ガイドローラーに組み込まれたゼンマイによって簡単に３の出力装置右側を上下させる事ができる。図では死角になっており見えないが、車体の左側には対称的に出力装置左側がある。【００２０】  左右の脇の下から地面に接地している出力装置を自由に上下させる事によって、運転者の姿勢を左右に傾ける事ができる。このことにより走行時に車体を傾けながら曲がっていくことも可能である。【００２１】  １６のサブフレームに節をつけ出力装置に連動させる事で脇にある出力ガイド部右側を身体側にひきつける事で前輪右に後輪を左にコントロールする事ができる。自動車でいう４ＷＳのような働きをする。【００２２】  ９の入力装置はロープ状のもので、３の出力装置右側と繋がっており、９の入力装置を上下させる事で、３の出力装置右側にある車輪に駆動を伝え、車体を前後させる事できる。９の入力装置はロープ状なので、たわむ事により腕の骨格に沿った力が入れやすい方向に動かす事ができる。【００２３】  １１のブレーキレバーを引く事により、１４の前輪ブレーキや１５の後輪ブレーキを利用することができる。１１は右側にあるが左側にもブレーキレバーがあり、片方のレバーを引く事で前後ブレーキの片方を、または両方同時にブレーキをかける事ができる。
【発明の効果】
【００２４】以上説明で明らかなように、本発明によれば、体を直立に保つ事ができ、前後左右自由に車体を傾ける事ができる。
【００２５】  また、入力装置をロープ状にする事で楽に力を入れることができ、速度の調節も容易くできる。
【００２６】  このことによって、従来の車椅子ではできなかった、段差を越えたり段差を降りたりする事など、走破性が格段に向上する。
【００２７】  また、スポーツなどの激しい運動なども出来るようになる。
【図面の簡単な説明】
【００２８】
【図１】この発明に係るスポーツ用車椅子の一実施例の構成を概略的に示す右側面から見た図である。
【符号の説明】
【００２９】１メインフレーム
２前輪
３出力装置右側
４後輪
５身体固定具  腰〜大腿部
６身体固定具  膝〜脛部
７身体固定具  足首〜つま先
８出力装置ガイド部
９入力装置
１０サスペンション
１１ブレーキレバー
１２出力装置ガイドローラー
１３入力装置ガイドローラー
１４前輪ブレーキ
１５後輪ブレーキ
１６サブフレーム
【図１】
2006187573.tif 000003
(57)【要約】【課題】  ゴルフ練習用マットに底板と衝撃吸収板及び衝撃板を設けたゴルフ練習用マットを提供する。【解決手段】  人工芝の下にマットを設け、マットの中の空間部に底板と衝撃吸収板及び衝撃板を設けたことを特徴とするゴルフ練習用マットである。【選択図】  図１
2006187575.tif 000002
【特許請求の範囲】
【請求項１】
人工芝の下にマットを設け、マットの中の空間部に底板と衝撃吸収板及び衝撃板を設けたことを特徴とするゴルフ練習用マット。
【発明の詳細な説明】
【技術分野】
【０００１】  本発明は、ゴルフ練習用マットに底板と衝撃吸収板及び衝撃板を設けたゴルフ練習用マットに関するものである。
【背景技術】
【０００２】  従来、ゴルフクラブのヘッドがゴルフボールの真下か手前側に入ったか音で確認する事が出来るゴルフ練習用マットがなかった。
【発明の開示】
【発明が解決しようとする課題】
【０００３】  そのために、次のような問題点があった。
（イ）  ゴルフクラブのヘッドが人工芝の上を滑ってしまいゴルフボールの手前を叩いていても気が付かなかった。
（ロ）  人工芝での間違ったスイングホームが身についてしまっていた。
本発明は、以上の問題点を解決するためになされたものである。
【課題を解決するための手段】
【０００４】  人工芝の下にマットを設け、マットの中の空間部に底板と衝撃吸収板及び衝撃板を設ける。
以上を特徴とするゴルフ練習用マットである。
【発明の効果】
【０００５】  ゴルフクラブのヘッドがゴルフボールの手前を叩くと衝撃吸収板と衝撃板の衝撃音で確認する事が出来る。
【発明を実施するための最良の形態】
【０００６】  以下、本発明の実施の形態について説明する。
（イ）  人工芝（１）にゴルフボールを置くライン（７）を設ける。
（ロ）  人工芝（１）の下にマット（２）を設ける。
（ハ）  マット（２）の中の空間部に底板（３）と衝撃吸収板（４）及び衝撃板（５）を設ける。
（ニ）  底板（３）と衝撃吸収板（４）の片方の端を接着し衝撃板（５）は接着しないで合わせ、それぞれの反対側の端を合わせてリベット（６）で留める。
本発明は以上のような構成で、これを使用するときは人工芝（１）のライン（７）の上にゴルフボールを置いて打つことによってゴルフボールの手前を叩くとゴルフクラブのヘッドの衝撃が人工芝（１）を通じて衝撃板（５）に伝わり、衝撃吸収板（４）との間において衝撃音が発生することによってゴルフクラブのヘッドがゴルフボールの手前をダフっている事が確認出来る。また、衝撃吸収板（４）があることによってゴルフクラブのヘッドの衝撃をうけても衝撃が吸収され衝撃板（５）が変形する事がない。
また図５に示すように、底板（３）と衝撃吸収板（４）及び衝撃板（５）をライン（７）側の下に設ける事によって、ゴルフクラブのヘッドが正確にゴルフボールの下を叩いた時は衝撃音が発生する。
【図面の簡単な説明】
【０００７】
【図１】  本発明の一部を切り欠いた斜視図
【図２】  本発明の一部を分解した斜視図
【図３】  本発明の部分拡大図
【図４】  本発明の部分断面図
【図５】  本発明の他の実施例図
【符号の説明】
【０００８】  １  人工芝
２  マット
３  底板
４  衝撃吸収板
５  衝撃板
６  リベット
７  ライン
【図１】
2006187575.tif 000003
【図２】
2006187575.tif 000004
【図３】
2006187575.tif 000005
【図４】
2006187575.tif 000006
【図５】
2006187575.tif 000007
(57)【要約】【課題】  ダーツ競技で使用するダーツ用品のうちフライトと呼ばれる矢羽根部分をオリジナルデザインで少量生産を行う。【解決手段】  フライトを切り取り線および模様としてシール紙に印刷し、これを折り曲げ張り合わせ切断を行うことによるフライトを作成する方法を確立し、少量生産を可能とする。【選択図】  図１
2006187579.tif 000002
【特許請求の範囲】
【請求項１】
本発明は、ダーツ競技で使用するダーツ用品のうちフライトと呼ばれる矢羽根部分をシール紙への印刷によって作成する方法に関する。
【請求項２】
請求項１において、シール紙にはデザインされた模様とともに切り取り線および折り曲げ位置の印を印刷する特徴をもつ。
【請求項３】
請求項２において、折り曲げ位置で折り曲げ後、シール用紙の裏紙をはがし粘着し、切り取り線で切り取ることでフライトを作成できる特徴をもつ。
【請求項４】
請求項２において、１枚のシール紙に複数枚のフライトを印刷できる特徴をもつ。
【請求項５】
請求項２において、切り取り線としては、フライト１枚ごとに大まかに分離する切り取り線とフライトの形状をあらわす切り取り線が印刷され、フライトの形状をあらわす切り取り線を別のデザインにすることで、フライト形状のバリエーションを持つことができる特徴をもつ。
【請求項６】
請求項２において、デザインされた模様として幾何学図形などやイラストや写真を利用することもできる特徴をもつ。
【請求項７】
請求項５において、フライトの形状をあらわす切り取り線はそれぞれのフライトで１箇所のみとし、重ねた状態で一度に切り取りを行うよう示すことで、４枚あるフライトの羽根部分の形状を同一にすることができる特徴をもつ。
【請求項８】
請求項１において、本発明は一般の家庭や企業のパーソナルコンピュータとプリントでの印刷によって作成できる特徴を持つ。
【請求項９】
請求項１において、本発明はキオスク端末として商業施設内に設置し、課金装置を搭載する事によって利用料金を徴収できる事が可能な特徴を持つ。
【発明の詳細な説明】
【発明の詳細な説明】
【技術分野】
【０００１】  本発明は、ダーツ競技で使用するダーツ用品のうちフライトと呼ばれる矢羽根部分をシール紙への印刷によって作成する方法に関する。
【背景技術】
【０００２】  ダーツ競技人口の増加に伴い、ダーツ用品に対して多様な交換部品が販売されている。【０００３】  中でもフライトと呼ばれる矢羽根部分は、形状や模様のバリエーションが数多く存在し、ひとつの製品カテゴリーを形成している。
【発明が解決しようとする課題】
【０００４】  しかし、一般にフライトはメーカーによる既製品を購入して使用することとなり、任意の形状やプリントデザインを自ら作成することは困難であった。
【０００５】  現状でも、任意の形状や模様のフライトを作成することは不可能ではないが、そのためには大量数を発注する必要があり、個人を対象とした少量生産には対応できなかった。
【課題を解決するための手段】
【０００６】
【０００７】  フライトを切り取り線および模様としてシール紙に印刷し、これを折り曲げ張り合わせ切断を行うことによるフライトを作成する方法を確立し、個人による少量生産を可能とする。
【発明を実施するための最良の形態】
【０００８】
【０００９】  図１、図２、図３、図４は本発明手法による印刷物の例および、組み立て方法を示す。【００１０】  図１は、本発明手法によって印刷されたシール紙の例である。【００１１】  図１の（２）および（３）の切り取り線でフライトを構成する部分を分離する。【００１２】  図２の（４）は、フライト１枚分の材料となる部分である。【００１３】  図２の（５）の位置を山折りして、（６）の状態にする。【００１４】  図２の（６）の（７）の位置を谷折りして、（８）の状態にする【００１５】  図２に（８）の状態にしたのち、シールの裏紙をはがし張り合わせることで、図３の（９），（１０）の状態となる。【００１６】  図４の（１１）のように切り取り線が見えるように平らな状態としてから、切り取り線（１２）に沿って切り取る。【００１７】  羽根を広げると図４の（１３）の状態となり、フライトが完成する。
【発明の効果】
【００１８】
【００１９】  印刷、折り曲げ、切り取りという工程でフライトを作成することが可能となるため、パソコンとプリンタといった一般的な機材を使用しオリジナルデザインのフライトの少量生産を行うことが出来る。
【図面の簡単な説明】  図１  本発明手法によって印刷されたフライトを示す。
図２〜図４  印刷されたフライトの組み立て方法を示す。
【図１】
2006187579.tif 000003
【図２】
2006187579.tif 000004
【図３】
2006187579.tif 000005
【図４】
2006187579.tif 000006
(57)【要約】【課題】  スコップを携行に便利で、より安全で、保管に手間をかけることなく取り扱いできるようにすること。【解決手段】  スコップを紙などの平面素材から折り合わせて、立体的形状を成形することにより、この課題を解決する。【選択図】  図１
2006187265.tif 000002
【特許請求の範囲】
【請求項１】
紙などの平面素材を折り合わせ、立体的形状を成形することを特徴とする、取手付簡易スコップ。
【発明の詳細な説明】
【発明の詳細な説明】
【技術分野】
【０００１】本発明は、スコップの材質を紙などの平面素材にすることにより、携行に便利で、より安全に取り扱いでき、使い捨てができるようにしたものである。
【背景技術】
【０００２】スコップを使う作業において、鉄、プラスチック製のスコップを携行し、作業の終わった後には洗浄し、保管しておくことが一般的であった。
【発明が解決しようとする課題】
【０００３】従来のスコップの鉄、プラスチック製など、材質が硬く、重量感のあるものは持ち運びに不便であり、小さな子供が扱う場合、危険性も伴いやすい。また、スコップを使っての園芸作業、ペットの糞処理、子供の砂遊びなど、終わった後には洗浄が必要であった。そのような不都合を解決するのが、本発明の課題である。
【課題を解決するための手段】
【０００４】スコップの材質を紙などの平面素材にすることにより、重量を軽減し、持ち運びやすく、安全に取り扱えるものとした。さらに紙などの安価な素材にすることで、使い捨てることを容易にした。
【発明を実施するための最良の形態】
【０００５】以下、本発明の実施の形態と成形手順を図面に基づいて説明する。図１は、成形する前の展開図である。図２は、展開図の各部分を記号別に表したものである。また、図中のｃ面とｅ面は、糊付け部分とする。図２において、ａ面々ｂ面に折り込みを入れた後、ａ面を少し丸めながら、ｃ面をａ面の裏側に糊付けし、スコップの対象物を乗せる部分を成形する。さらに、ｄ面とｅ面を丸め、ａ面およびｄ面の裏側にｅ面を糊付けし、スコップの取手部分を成形する。完成したものを図３に表している。図３のように、本発明品は取手付きの簡易スコップである。材料としては強度のある厚紙などが、望ましい。
【発明の効果】
【０００６】スコップを使ういろいろな作業において、本発明品は携行しやすく、より安全な作業をすることを可能にし、洗浄の手間も省き、衛生上も好ましいものとした。
【図面の簡単な説明】
【０００７】
【図１】本発明品の成形する前の展開図である。
【図２】図１において、各部分を記号別に表したものである。
【図３】成形した後の完成図である。
【図１】
2006187265.tif 000003
【図２】
2006187265.tif 000004
【図３】
2006187265.tif 000005
(57)【要約】【課題】  ペットの抜け毛を効果的に捕らえて容易に除去することを得る。【解決手段】  複数枚の、平板の左右両辺に設けられた刃形状部分をその先端部において、末広がり状に設ける。【選択図】  図１
2006187267.tif 000002
【特許請求の範囲】
【請求項１】
複数枚の平板（１）は、その左右両辺に刃形状部分（２）、及び、やや鋭利な刃（３）を設け、先端部分を略逆扇形に末広がりの曲線状とし、突端部（４）に、丸みを帯びさせ、更に、先端部分の下端を凹状に、へこんだ形にして形成し、且つ、該平板（１）の元部分を支持板（５）に取り付けて構成したことを特徴とするペットの抜け毛取り器。
【発明の詳細な説明】
【発明の詳細な説明】
【技術分野】
【０００１】  本発明は、ペットの抜け毛を効率良く収集する器具に関する。
【背景技術】
【０００２】  従来の抜け毛取り器においては、主に、櫛、及び、ブラシ状の物があるが、抜け毛を効率良く取り去る事が難しい面もあった。先行文献として
【公開番号】
特開平９−１５４６２４を参照した。
【発明が解決しようとする課題】
【０００３】  本発明は、ペットを櫛などで梳かすように本器具を移動させて、平板の刃形状部分で抜け毛を効率的に捕らえる事ができ、且つ、刃の突端部が丸みを帯びているので、ペットの肌を痛めることがなく、更に、収集された抜け毛の除去も容易に行える器具を提供する事を目的としている。
【課題を解決するための手段】
【０００４】  上記の目的を達成するために、平板は、その左右両辺に刃形状部分、及び、やや鋭利な刃を設け、先端部分を略逆扇形に末広がりの曲線状とし、突端部に、丸みを帯びさせ、更に、先端部分の下端を凹状に、へこんだ形にして形成し、且つ該平板の元部分を支持板に取り付けて成るものである。
【０００５】  平板に設けた刃の部分は、抜け毛を引っ掛けて平板の元部分に向けて送り上げて行ける機能を持たせるために、毛を切らないように鋭利にせず、鈍い切れ味、即ち、やや鋭利にするとよい。
【０００６】  又、収集された抜け毛を容易に除去し得るように、平板の先端部を略逆扇形にすることが好ましい。
【０００７】  更に、平板の取り付けは溶接、ビス留め等で行う他、本器具全体を一体物として合成樹脂等を成型加工して制作する事もできる。
【発明を実施するための最良の形態】
【０００８】  発明の実施の形態を実施例にもとづき図面を参照して説明する。【０００９】  図１においては、平板１が支持板５の下面側に等間隔に取り付けられている。【００１０】  図２においては、平板１の刃形状部分２、及び、刃３が曲線状に設けられ、突端部は丸みを帯び、先端部分の下端が凹状に形成されている。【００１１】  図３においては、刃３が、平板１の厚み幅の中央に設けられている。
【発明の効果】
【００１２】  本発明は、以上説明したように構成されているので、本器具をペットの毛並みに沿って梳かすように移動させる事により効果的に抜け毛を捕らえる事ができ、又、収集された毛の除去も容易に行う事ができる。更に、突端部が丸みを帯びているのでペットの肌を痛めることが少ない。
【図面の簡単な説明】
【図１】ペットの抜け毛取り器の斜視図である。
【図２】ペットの抜け毛取り器の正面図である。
【図３】ペットの抜け毛取り器の要部側面図である。
【符号の説明】
１    平板
２    刃形状部分
３    刃
４    突端部
５    支持板
６    柄
【図１】
2006187267.tif 000003
【図２】
2006187267.tif 000004
【図３】
2006187267.tif 000005
(57)【要約】【課題】  室内で飼われる犬猫兎等の小動物から抜け落ちる毛やフケは、室内に落ちて飛散する。その事により室内が汚れるだけでなく、人間がそれを吸い込んだり、皮膚に触れる事があり、喘息や皮膚炎、くしゃみ鼻水等のアレルギー症状が問題となっている。この問題を解決する為、動物の体を覆う使い捨てカバー着を提供する。【解決手段】  犬猫兎等の体を覆う本発明カバー着により、アレルギーや室内の汚れの原因となる、抜け毛やフケが犬猫兎の体から落ちる事を防ぐ。また、不織布等の安値原料を使い、立体プレス裁断で大量に製造する事によって、使い捨て使用でき衛生的なものである。布、シート材には消臭抗菌剤、防ダニ剤、防ノミ剤をコーティングする事により犬猫兎等の特有の臭いや雑菌を抑えるものである。【特許請求の範囲】
【請求項１】
室内で飼われている犬猫兎等の小動物から落ちる抜け毛やフケの飛散を防ぐ為、体を覆う使い捨てカバー着である。
【請求項２】
使用するポリエステル、不織布その他シート材には消臭防菌剤、防ダニ剤、防ノミ剤をコーティングする。その事により、犬猫兎等の臭いや雑菌を抑えるものである。
【請求項３】
布を製造する時にゲルマニウムパウダー０．４ミクロンを後加工でなく、製糸の段階で練り込みカバー着の一部にこれを使い製造する。
【請求項４】
犬猫等小動物の体のサイズに合わせて特大、大、中、小、極小等とする。
【請求項５】
不織布等のシート材には色や柄を入れカバー着にファッション性を持たせる。
【発明の詳細な説明】
【技術分野】
【０００１】  本発明は、一般家庭に飼われる犬猫兎等小動物の、抜け毛やフケの飛散や室内の汚れを防ぐものである。また、毛やフケによって人間に生じるペットアレルギー、喘息、皮膚炎、くしゃみ、鼻水等の症状を軽減させる事を図ったカバー着である。
【背景技術】
【０００２】  室内で飼われている犬猫兎等小動物から抜け落ちる毛やフケは床等に飛散し、床に飛散した毛やフケを取り除く掃除道具が多く一般家庭で使用されている。
【発明の開示】
【発明が解決しようとする課題】
【０００３】  これまで室内で飼われる犬猫兎等小動物から抜け落ちた毛やフケを室内から取り除くための掃除道具が一般的であったが、１度室内に毛やフケが飛散してしまってからの除去の為に、人間が呼吸時に毛やフケを吸い込んだり、また人間の皮膚に直接触れる事があり、そのことによる喘息、皮膚炎、くしゃみ、鼻水などの症状がペットアレルギーとして問題になっている。
【課題を解決するための手段】
【０００４】  本発明は、このような従来の問題を解決しようとする発明であり、室内を汚しアレルギーの原因となっていた毛やフケの飛散を防ぐ事を目的とするものである。【０００５】そして本発明は上記目的を達成する為、犬猫兎等小動物の体を覆うカバーを、毛の抜けやすくフケの多い首から腰、胸や腹部にかけて装着させ飛散を防ぐものである。【０００６】  第２の課題解決手段は、上記第１の課題解決手段によるカバー着を通気性の良い不織布、ポリエステル、ゴムシートからなるシート材を使用して製造する。【０００７】  第３の課題解決手段は、上記第２の課題解決手段によるカバー着の布、シート材に消臭抗菌剤、防ダニ剤、防ノミ剤をコーティングし、犬猫特有の臭いやノミやダニ、雑菌を抑えるものである。
【発明の効果】
【０００８】  犬猫兎等の小動物の体が、本発明のカバー着に覆われる事によって、カバー着の内側に抜け落ちた毛やフケが、カバー着内側にとどまり、室内に飛散しない。毛やフケが室内に飛散しない事により、犬猫兎の毛やフケが引き起こす喘息や皮膚炎、くしゃみ、鼻水等のペットアレルギー症状を軽減する事を目的とした発明である。【０００９】  また、カバー着の布やシート材にポリエステルや不織布などの安値で製造できるシート材を使用する事で、使い捨て使用に対応でき衛生的である。また、この布やシート材に消臭抗菌剤、防ダニ剤、防ノミ剤をコーティングする事で犬猫兎等の小動物特有の臭いや雑菌を抑える事のできる発明品である。
【発明を実施するための最良の形態】
【００１０】  以下、本発明の実施の形態を図面に基づき詳細に説明する。【００１１】  図１から図５は本発明の第１の実施の形態に関わり、図１は左側面図、図２は平面図、図３は底面図、図４は正面図、図５は後面図である。【００１２】  図２が示すように本カバー着は腹部１２を中心にして背部１３で結着させる。腹部１２に前足後足それぞれが通るための貫通した穴３と７を設ける。首貫通部１と尻部開口部１４、また排泄用切り込み６を設ける。首貫通部１と尻部開口部１４、前足後足の貫通部３、７にはそれぞれゴムシート２、４、８をつけ犬猫兎等の小動物の毛やフケがカバー着の外側へ出ることを防ぐ。【００１３】  胴部中央に胴部フィット用ゴムシート５をつけ、犬猫兎の体にカバー着が密着するようにする。【００１４】    背部開閉部３の結着部には粘着シート、マジックテープを設ける。【００１５】  ポリエステルや不織布、ゴムシートなどのシート材を用い、熱によるプレス成形により立体的な形成とする。【００１６】上記シート材に消臭抗菌剤、防ダニ剤、防ノミ剤をコーティングまたはシート材製造時に布に練り込むものとする。
【図面の簡単な説明】
【００１７】
【図１】本発明の左側面図である。
【図２】本発明の平面図である。
【図３】本発明の底面図である。
【図４】本発明の正面図である。
【図５】本発明の後面図である。
【符号の説明】
【００１７】      １首貫通部      ２首部フィット用ゴムシート      ３前足貫通部      ４前足フィット用ゴムシート      ５胴部フィット用ゴムシート      ６排泄用切り込み      ７後部貫通部      ８後足フット用ゴムシート      ９腰部フィット用ゴムシート      １０背部開閉部      １１胸部      １２腹部      １３背部      １４尻部開口部
【図１】
2006187283.tif 000002
【図２】
2006187283.tif 000003
【図３】
2006187283.tif 000004
【図４】
2006187283.tif 000005
【図５】
2006187283.tif 000006